(57)【要約】【課題】コールドランナーに簡単な構造を設けることにより、成形品の品質を改善する。【解決手段】射出成形用金型はコールドランナー１３を有している。コールドランナー１３は、通過する樹脂を、進行方向に対し右回りまたは左回りに９０°以下の所定角度だけ回転させる樹脂回転部３０を備える。【選択図】図１
2010208050.tif 000002
【特許請求の範囲】
【請求項１】
コールドランナーを有する射出成形用金型において、
上記コールドランナーは、通過する成形材料を、進行方向に対し右回りまたは左回りに９０°以下の所定角度だけ回転させる材料回転部を備えることを特徴とする射出成形用金型。
【請求項２】
上記コールドランナーは、
上記材料回転部を備える直線部と、
該直線部よりも上流側に位置し、上記成形材料を屈曲させる屈曲部と、
上記直線部の下流側にて接続し、上記成形材料を分岐させる分岐部とを備えており、
上記材料回転部は、上記屈曲部の数および屈曲方向によって決定される上記成形材料の偏り方向を、上記分岐部における２つの分岐方向の対称面に沿うように回転させるものであることを特徴とする請求項１に記載の射出成形用金型。
【請求項３】
形状が同じである複数のキャビティ部をさらに備えており、
上記コールドランナーは、
上記材料回転部を備える直線部と、
該直線部よりも上流側に位置し、上記成形材料を屈曲させる屈曲部と、
上記直線部の下流側にて接続し、上記成形材料を上記キャビティ部に供給するゲートとをそれぞれ複数個備えており、
上記各ゲートは、上記各キャビティ部の同じ位置に接続されており、
上記各材料回転部は、上記屈曲部の数および屈曲方向によって決定される上記成形材料の偏り方向であって、上記各ゲートを介して上記各キャビティ部に射出される成形材料の当該キャビティ部に対する偏り方向が、上記複数のキャビティ部で同じとなるように回転させるものであることを特徴とする請求項１に記載の射出成形用金型。
【請求項４】
上記材料回転部は、パーティング面に形成されていることを特徴とする請求項１から３までの何れか１項に記載の射出成形用金型。
【請求項５】
上記材料回転部は、内壁から突出した突出部が、上記成形材料の進行方向に対し螺旋状に延在した螺旋部と、該螺旋部から上流側の内壁へ傾斜した傾斜部とを備えることを特徴とする請求項１から３までの何れか１項に記載の射出成形用金型。
【請求項６】
上記材料回転部は、パーティング面を上流側とし、該パーティング面から垂直に延びる通路に形成されており、
該通路は、テーパ状に形成されたテーパ部を下流側に備えており、
上記材料回転部は、上記通路の内壁から突出した突出部が、上記通路の中心軸に対し螺旋状に延在した螺旋部と、該螺旋部から上記中心軸に対し平行にまたはテーパ状に延在して上記テーパ部に達する延在部とを備えることを特徴とする請求項１から３までの何れか１項に記載の射出成形用金型。
【請求項７】
上記材料回転部は、パーティング面を上流側とし、該パーティング面から垂直に延びる通路に形成されており、
該通路は、
上記パーティング面に連通し、かつ上流側である上流部と、
下流側であり、かつ上記上流部よりも狭い下流部と、
上記上流部および上記下流部を接続する段部とを備えており、
上記材料回転部は、上記段部に設けられていることを特徴とする請求項１から３までの何れか１項に記載の射出成形用金型。
【発明の詳細な説明】
【技術分野】
【０００１】
本発明は、コールドランナーを有する射出成形用金型に関するものである。
【背景技術】
【０００２】
射出成形は、成形材料を加熱シリンダからスプルー、ランナー、およびゲートを介して、金型のキャビティ内へ加圧下で注入することにより成形するものである。近年では、急速なグローバル化に伴い、製造業においても競争が激化し、製品の低コスト化および高品質化の両立が必須の条件になっており、上記射出成形においては、多数個取りの金型を使用することで低コスト化を実現している。
【０００３】
しかしながら、上記多数個取りの手法では、成形材料である樹脂が様々な要因により各キャビティに均等に充填されないため、成形品のバラツキが発生し易く、成形品の品質が低下することが知られている。この原因の１つとしては、ランナー内における成形材料の流れが不均一であることが挙げられる。
【０００４】
例えば、非特許文献１に記載のように、成形材料である樹脂の粘性が高く、非ニュートン粘性に従う場合、上記樹脂は、非ニュートン流体として挙動し、ランナーの屈曲、分岐等に応じて屈曲すると、屈曲後の上記樹脂は、屈曲の内側を通過した部分が、屈曲の外側を通過した部分に比べて、速度および温度が高くなり、粘度が低くなる。以下、この現象を「内回り現象」と称する。
【０００５】
反対に、上記樹脂の粘性が低く、ニュートン粘性に従う場合、上記樹脂は、ニュートン流体として挙動し、ランナーの屈曲、分岐等に応じて屈曲すると、屈曲後の樹脂は、屈曲の外側を通過した部分が、屈曲の内側を通過した部分に比べて、速度および温度が高くなる。以下、この現象を「外回り現象」と称する。なお、樹脂が非ニュートン流体およびニュートン流体の何れとして挙動するかは、樹脂の種類、温度、圧力などに依存する。
【０００６】
そこで、上記成形材料の流れを均一化する種々の手法が提案されている。例えば、特許文献１に記載の射出成形装置には、複数のホットランナノズルに連通するマニホルドチャンネルが設けられ、該マニホルド内に、螺旋状の溶融通路部分を備える溶融物再流通部材が配置されている。該溶融物再流通部材は、溶融物が流入すると、テーパ部分の入口により圧力が上昇し、樹脂通路の断面中央部では溶融物が大きな速度で流れ、断面外側部分では、螺旋状の通路を溶融物が流れ、何度も方向が変えられ、上記断面中央部を流れる溶融物と部分的に混合する。このことにより、上記溶融物再流通部材は、入口に比べて出口の方が、剪断圧力の性能が均一化されることになる。
【先行技術文献】
【特許文献】
【０００７】
【特許文献１】特開２００７−１０６１２０（２００７年０４月２６日公開）
【特許文献２】特開平０６−２２６７８４（１９９４年０８月１６日公開）
【特許文献３】特表２００２−５２３２６３（２００２年０７月３０日公表）
【非特許文献１】井上良徳，「３次元樹脂流動解析ソフトRemylop-Flowによる射出成形ランナーの流動解析」，豊田中央研究所Ｒ＆Ｄレビュー，２００１年３月，第３６巻，第１号，ｐ．２５−３０
【発明の概要】
【発明が解決しようとする課題】
【０００８】
しかしながら、特許文献１では、ホットランナー金型が利用されるため、金型が大型化し、かつ、コストが大幅に増加することになる。この問題点を回避するには、加熱手段または保温手段を有さないランナーであるコールドランナーを利用することが考えられる。しかしながら、コールドランナーの場合、射出成形後に、上記コールドランナー内に硬化した成形材料を除去する必要がある。このため、上記コールドランナーに特許文献１のような複雑な構造を設けると、上記硬化した成形材料を容易に除去できなくなる虞がある。
【０００９】
本発明は、上記の問題点に鑑みてなされたものであり、その目的は、コールドランナーに簡単な構造を設けることにより、成形品の品質を改善できる射出成形用金型を提供することにある。
【課題を解決するための手段】
【００１０】
本発明に係る射出成形用金型は、コールドランナーを有する射出成形用金型において、上記の課題を解決するために、上記コールドランナーは、通過する成形材料を、進行方向に対し右回りまたは左回りに９０°以下の所定角度だけ回転させる材料回転部を備えることを特徴としている。
【００１１】
上記の構成によると、材料回転部は、成形材料を９０°以下の所定角度だけ回転させればよく、特許文献１の溶融物再流通部材のように、成形材料を均一化するために３６０°以上回転させる必要は無い。従って、上記材料回転部は、特許文献１の溶融物再流通部材に比べて簡単な構造となるので、射出成形後の硬化した成形材料を容易に除去できなくなるという問題点を回避することができる。
【００１２】
ところで、上述の内回り現象が発生する主な原因としては、下記の２つのものが考えられる。第１の原因は、屈曲部では、屈曲方向に壁が存在しないことに起因するものである。このため、屈曲部の内側では、成形材料が上記壁による流動抵抗を受けなくて済むので、流れが速くなる。
【００１３】
第２の原因は、壁面近傍にて発生する剪断熱に起因するものである。コールドランナーの入口（インレット）から２方向に分岐するまでの通路である導入路では、樹脂等の成形材料の温度は、中央よりも壁面近傍の方が高くなっている。これは、上記壁面近傍の上記成形材料には、高い剪断速度による剪断発熱が生じたためと考えられる。そして、上記導入路の壁面近傍で高温になった成形材料が壁面に沿うように流れるために、分岐後の通路を流れる成形材料は、上記導入路の側がその反対側よりも、温度が高くなり、粘度が低くなるので、流れが速くなる。
【００１４】
そこで、以下では、成形材料の流れの偏りを、「流れの速い部分」と「流れの遅い部分」とで表現することにする。なお、上述の外回り現象の発生する成形材料の流れの偏りは、上記内回り現象の発生する成形材料の流れの偏りに比べて、反対向きとなるのみであるので、「流れの速い部分」と「流れの遅い部分」とで同様に表現することができる。
【００１５】
例えば、成形材料の流れに偏りが生じ、遅い部分と速い部分とが生じており、当該成形材料が分岐される場合、分岐後の各通路に、上記遅い部分と上記速い部分との両方が供給されるように、上記材料回転部が分岐前の成形材料を回転させればよい。これにより、分岐後の成形材料の流れには依然として偏りが存在するが、上記分岐後の各通路には上記成形材料が均等に供給されることになる。従って、上記各通路がそれぞれ連通する各キャビティ部に上記成形材料が均等に射出されるので、各成形品のバラツキを改善することができ、成形品の品質を改善することができる。
【００１６】
ところで、流れに偏りの生じた上記成形材料がキャビティ部に射出される場合、成形品に成形材料の多寡の偏りが生じることになる。このため、複数のキャビティ部を有する多数個取りの手法の場合、各キャビティ部に射出される成形材料の上記偏りの方向が異なると、成形品における上記成形材料の多寡の偏りにバラツキが生じることになる。
【００１７】
そこで、本発明を適用して、上記成形材料の流れの偏りによって規定される偏り方向であって、上記各キャビティ部に射出される成形材料の当該キャビティ部に対する偏り方向が、上記複数のキャビティ部で同じとなるように、上記各材料回転部が上記各キャビティ部への供給前の上記成形材料を回転させればよい。これにより、各成形品における上記成形材料の多寡の偏りが揃うので、上記各成形品のバラツキを改善することができ、成形品の品質を改善することができる。
【００１８】
なお、詳細は後述するが、上記材料回転部は、上記成形材料の流れの偏りによって規定される偏り方向を、或る方向に沿うように回転させればよい。従って、成形材料の回転角は最大でも９０°である。また、上記偏り方向は、上記コールドランナーにおける上記材料回転部よりも上流部における幾何学的配置によって決定され、上記或る方向は、上記分岐後の各通路の幾何学的配置、或いは、各キャビティ部の幾何学的配置によって決定される。従って、上記材料回転部が成形材料を回転させる回転角は予め定めることができる。
【００１９】
本発明に係る射出成形用金型では、上記コールドランナーは、上記材料回転部を備える直線部と、該直線部よりも上流側に位置し、上記成形材料を屈曲させる屈曲部と、上記直線部の下流側にて接続し、上記成形材料を分岐させる分岐部とを備えており、上記材料回転部は、上記屈曲部の数および屈曲方向によって決定される上記成形材料の偏り方向を、上記分岐部における２つの分岐方向の対称面に沿うように回転させるものであってもよい。
【００２０】
本願では、直線部とは、成形材料を進行方向に対して屈曲させたり、分岐させたりすることの無い部分としている。従って、進行方向に向かうにつれて狭くなるテーパ部、進行方向に向かうにつれて広くなる逆テーパ部なども上記直線部に含まれる。
【００２１】
また、偏り方向とは、上述のように、成形材料の流れの偏りによって規定される方向であり、本願では、上記成形材料の流れが遅い部分から速い部分への方向としている。上記偏り方向は、上記屈曲部の幾何学的配置によって決定される。
【００２２】
例えば、上記成形材料が非ニュートン流体として挙動する場合、上記屈曲部にて屈曲されると、屈曲部の内側の方が外側よりも流れが速くなる。従って、上記屈曲部の下流に接続する通路では、上記屈曲部の内側に接続した側の方が、上記屈曲部の外側に接続した側よりも流れが速くなる。すなわち、上記屈曲部の外側に接続した側から上記屈曲部の内側に接続した側の方向が上記偏り方向となる。反対に、上記成形材料がニュートン流体として挙動する場合、上記屈曲部の内側に接続した側から上記屈曲部の外側に接続した側の方向が上記偏り方向となる。
【００２３】
そこで、上記の構成によると、上記材料回転部により、上記偏り方向が上記分岐部における２つの分岐方向の対称面に平行となる。すなわち、上記成形材料の流れが遅い部分および速い部分の両方が、上記対称面上に位置することになる。従って、上記分岐後の２つの通路には、上記成形材料の流れが遅い部分および速い部分の両方が供給されるので、上記成形材料が均等に供給されることになる。従って、上述のように、成形品の品質を改善することができる。なお、上記成形材料を分岐する分岐部でも上記成形材料の屈曲が生じるので、上記屈曲部は、分岐部であってもよい。
【００２４】
また、本発明に係る射出成形用金型では、形状が同じである複数のキャビティ部をさらに備えており、上記コールドランナーは、上記材料回転部を備える直線部と、該直線部よりも上流側に位置し、上記成形材料を屈曲させる屈曲部と、上記直線部の下流側にて接続し、上記成形材料を上記キャビティ部に供給するゲートとをそれぞれ複数個備えており、上記各ゲートは、上記各キャビティ部の同じ位置に接続されており、上記各材料回転部は、上記屈曲部の数および屈曲方向によって決定される上記成形材料の偏り方向であって、上記各ゲートを介して上記各キャビティ部に射出される成形材料の当該キャビティ部に対する偏り方向が、上記複数のキャビティ部で同じとなるように回転させるものであってもよい。
【００２５】
上記の構成によると、上記各材料回転部が回転させた成形材料は、上記各ゲートを介して上記各キャビティ部の同じ位置から射出される。このとき、上記各キャビティ部に供給される上記成形材料の当該キャビティ部に対する上記偏り方向は、上記複数のキャビティ部で同じとなる。従って、上記遅い部分は上記各キャビティ部における同じエリアに供給され、上記速い部分は上記各キャビティ部における別の同じエリアに供給されることになる。その結果、上述のように、各成形品のバラツキを改善することができ、成形品の品質を改善することができる。
【００２６】
本発明に係る射出成形用金型では、上記材料回転部は、パーティング面に形成されていてもよい。この場合、射出成形後に金型を分離することにより、上記材料回転部にて硬化した成形材料を上記パーティング面から容易に除去することができる。
【００２７】
本発明に係る射出成形用金型では、上記材料回転部は、内壁から突出した突出部が、上記成形材料の進行方向に対し螺旋状に延在した螺旋部と、該螺旋部から上流側の内壁へ傾斜した傾斜部とを備えてもよい。この場合、上記傾斜部により、上記材料回転部は、上流側から下流側に向かうにつれて狭くなるテーパ状となる。従って、上記成形材料は、上記材料回転部と緩やかに衝突しながら回転するので、上記材料回転部により上記成形材料の流れが乱れて滞ることを抑制できる。
【００２８】
なお、上記材料回転部は、パーティング面を上流側とし、該パーティング面から垂直に延びる通路に形成されてもよい。この場合、射出成形後に上記通路にて硬化した成形材料を、上記パーティング面へ向けて移動させて除去することになる。従って、上記材料回転部は、上記硬化した成形材料が引っ掛からないような形状にする必要がある。
【００２９】
このような形状の例としては、上記通路は、テーパ状に形成されたテーパ部を下流側に備えており、上記材料回転部は、上記通路の内壁から突出した突出部が、上記通路の中心軸に対し螺旋状に延在した螺旋部と、該螺旋部から上記中心軸に対し平行にまたはテーパ状に延在して上記テーパ部に達する延在部とを備える形状が挙げられる。
【００３０】
この場合、上記材料回転部では、下流側に向かうにつれて、サイズが同じまたは小さくなり、さらに、上記テーパ部では、下流側に向かうにつれて、サイズが小さくなる。従って、射出成形後に硬化した成形材料は、上記パーティング面へ向けて移動させても、上記材料回転部に引っ掛かることがない。なお、上記螺旋部は上記テーパ部に設けてもよい。また、上記通路全体が上記テーパ部であってもよい。
【００３１】
また、上記形状の他の例としては、上記通路は、上記パーティング面に連通し、かつ上流側である上流部と、下流側であり、かつ上記上流部よりも狭い下流部と、上記上流部および上記下流部を接続する段部とを備えており、上記材料回転部は、上記段部に設けられている形状が挙げられる。
【００３２】
この場合、上記上流部よりも上記段部が狭く、上記段部よりも上記下流部が狭くなっている。従って、射出成形後に硬化した成形材料は、上記通路に引っ掛かることなく、上記パーティング面へ向けて移動させることができる。なお、上記段部の表面は、上記通路の中心軸に対し垂直でもよいし、傾斜していてもよい。
【発明の効果】
【００３３】
以上のように、本発明に係る射出成形用金型は、コールドランナーが備える材料回転部が、成形材料を９０°以下の所定角度だけ回転させるものであるので、従来よりも簡単な構造でありながら、成形品の品質を改善できるという効果を奏する。
【図面の簡単な説明】
【００３４】
【図１】本発明の一実施形態である射出成形用金型のコールドランナーにおける樹脂の流れを模式的に示す断面図である。
【図２】上記射出成形用金型における上記コールドランナーおよびキャビティの構造を模式的に示す斜視図である。
【図３】上記コールドランナーにおける第２直線部の一部切り欠き図であり、樹脂回転部の概要を示す図である。
【図４】図１の矢視断面図である。
【図５】通路の屈曲部における流体の流れを模式的に示す断面図である。
【図６】上記樹脂回転部における案内部の形状を決定する要素を示す図である。
【図７】本発明の別の実施形態である射出成形用金型のコールドランナーにおける第２直線部の一部切り欠き図であり、樹脂回転部の概要を示す図である。
【図８】本発明のさらに別の実施形態である射出成形用金型におけるコールドランナーおよびキャビティの構造を模式的に示す斜視図である。
【図９】上記コールドランナーにおける第２テーパ部の一部切り欠き図であり、樹脂回転部の概要を示す図である。
【図１０】上記コールドランナーにおける樹脂の流れを模式的に示す断面図である。
【図１１】本発明のさらに別の実施形態である射出成形用金型のコールドランナーにおける第２テーパ部の一部切り欠き図であり、樹脂回転部の概要を示す図である。
【図１２】第２テーパ部を上記射出成形用金型の接合面側から見た図である。
【図１３】本発明の他の実施形態である射出成形用金型におけるコールドランナーおよびキャビティの構造を模式的に示す斜視図である。
【図１４】上記コールドランナーの第２直線部において樹脂回転部を通過する前後での樹脂の偏りを示す断面図である。
【図１５】上記コールドランナーの第３直線部および第４直線部において樹脂回転部を通過する前後での樹脂の偏りを示す断面図である。
【発明を実施するための形態】
【００３５】
〔実施の形態１〕
本発明の一実施形態について図１〜図６を参照して説明する。なお、本発明は射出成形用金型に関するものであり、該射出成形用金型以外の射出成形機の構成としては公知のものを利用することができるので、以下では射出成形用金型に関して説明する。
【００３６】
図２は、本実施形態の射出成形用金型におけるコールドランナーおよびキャビティの構造を模式的に示している。なお、図示の例では、上記コールドランナーおよびキャビティの内壁のみが示されている。
【００３７】
図２に示すように、射出成形用金型１０は、同じ成形品を形成するために同じ形状のキャビティを有する２つのキャビティ部１１・１２と、射出装置（図示せず）から射出された熱可塑性の樹脂（以下、単に「樹脂」と称する。）をキャビティ部１１・１２に供給するための通路であるランナーとを備えている。上記ランナーには、樹脂の流動性を維持するための加熱手段または保温手段を近傍に有するホットランナーと、上記加熱手段または保温手段を有さないコールドランナーとがあり、本実施形態では、コールドランナー１３の上流にホットランナー１４が設けられている。
【００３８】
コールドランナー１３は、上流から順に、第１直線部２０と、屈曲部２１と、第２直線部２２と、分岐部２３と、第３直線部２４および第４直線部２５とを備える構成である。図２の例では、第１直線部２０、第３直線部２４、および第４直線部２５の中心軸は、同じ方向であり、第２直線部２２の中心軸に垂直な方向である。また、第３直線部２４および第４直線部２５における樹脂の進行方向の向きは、互いに反対である。
【００３９】
屈曲部２１は、屈曲した通路を有し、第１直線部２０の通路と第２直線部２２の通路とを連結する。また、分岐部２３は、分岐した通路を有し、第２直線部２２の通路と第３直線部２４および第４直線部２５の通路とを連結する。第３直線部２４および第４直線部２５の通路の下流部は、それぞれキャビティ部１１・１２の同じ位置に連結する。
【００４０】
上記の構成により、第１直線部２０に供給された樹脂が、屈曲部２１にて垂直方向に屈曲されて第２直線部２２に供給される。そして、第２直線部２２に供給された樹脂が、分岐部２３にて垂直方向であって互いに反対向きに分岐され、第３直線部２４および第４直線部を介してキャビティ部１１・１２にそれぞれ供給される。
【００４１】
本実施形態では、第２直線部２２には、供給された樹脂を回転させる樹脂回転部３０が設けられている。図３は、射出成形用金型１０における第２直線部２２の要部を示すものであり、樹脂回転部３０の概要を示している。図示のように、樹脂回転部３０は、第２直線部２２の内面の適所に、案内部３１を設けた構成であり、案内部３１は、上記内面からの突出部を、上記内面の周方向から樹脂の進行方向Ｆへ傾斜した方向へ延在した螺旋形状である。これにより、樹脂は、上記案内部３１に衝突して、進行方向Ｆに対し右回りまたは左回りに回転することになる。
【００４２】
ところで、キャビティ部１１・１２に供給された樹脂が冷却されて硬化することにより、成形品が形成されると、コールドランナー１３内に滞留する樹脂も冷却されて硬化する。従って、成形品を金型から除去する時に、コールドランナー１３内の樹脂も除去する必要がある。なお、ホットランナー１４は、樹脂の流動性を維持するための加熱手段または保温手段を近傍に有しているので、成形品が形成されても樹脂が硬化せず、樹脂を除去する必要が無い。
【００４３】
そこで、本実施形態では、第２直線部２２は、２つの金型を接合することにより形成される。そして、射出成形後に上記２つの金型を分離して、第２直線部２２内にて硬化した樹脂が金型１０ａのパーティング面４０から除去される。このとき、押出しピンや重力を利用して、上記硬化した樹脂をパーティング面４０に垂直な方向に移動させると、上記硬化した樹脂が樹脂回転部３０に引っ掛かることなく除去できる。
【００４４】
なお、図３では、上記２つの金型のうち、一方の金型１０ａのみを記載しており、他方の金型は省略しているが、後述する図４の（ｂ）に示すように、本実施形態では上記他方の金型にも案内部３１が設けられている。すなわち、本実施形態では、案内部３１が２個設けられているが、１個のみでもよいし、３個以上でもよい。案内部３１の個数および配置は、樹脂の流れ易さや、射出成形後の樹脂の除去容易性などによって適宜決定される。
【００４５】
樹脂回転部３０を設けることによる効果を、図１および図４を参照して説明する。図１は、第１直線部２０から第３直線部２４および第４直線部２５までの樹脂の流れを模式的に示している。また、図４の（ａ）〜（ｃ）は、それぞれ、図１のＡ−Ａ’線、Ｂ−Ｂ’線、およびＣ−Ｃ’線にて断面し、矢印方向に見た図である。
【００４６】
なお、図１および図４における通路２０・２２・２４・２５内の矢印は、当該位置における樹脂の流れを示しており、矢印の大きさが当該位置における樹脂の流速に対応している。また、図１において、図面の裏側に該当する位置における樹脂の流れは破線で示している。
【００４７】
図１および図４の（ａ）に示すように、第１直線部２０では、樹脂の流れが均一である。しかしながら、屈曲部２１では、樹脂の粘性に応じて樹脂の流れが不均一となる。
【００４８】
図５は、通路の屈曲部における流体の流れを示している。同図の（ａ）は、粘性が高いために上記流体が非ニュートン流体である場合を示している。また、同図の（ｂ）は、粘性が低いために上記流体がニュートン流体である場合を示している。
【００４９】
非ニュートン流体は、壁面に接していると流動抵抗が大きく、接していないと小さくなる。そして、通路の屈曲部では屈曲する側に壁がない状態、すなわち直線状の通路において片方の壁がなくなった状態に相当する。よって、屈曲部内側Ｃinの流体が受ける流動抵抗は屈曲部外側Ｃoutよりも小さくなり、その影響で内側の流体粘度は低くなる。これは、屈曲部内側Ｃinを通る流体が流れ易くなることを意味する。従って、図５の（ａ）に示すように、屈曲部内側Ｃinを通過した流体の方が、屈曲部外側Ｃoutを通過した流体よりも流速が大きくなり、ひいては単位時間当りの流量が多くなる。
【００５０】
一方、ニュートン流体は、壁面に接していると流動抵抗が小さくなるため、流体がまっすぐに流れ易い。これは、屈曲部外側Ｃoutを通る流体が流れ易くなることを意味する。従って、図５の（ｂ）に示すように、屈曲部外側Ｃoutを通過した流体の方が、屈曲部内側Ｃinを通過した流体よりも流速が大きくなり、ひいては流量が多くなる。
【００５１】
一般に、樹脂は、粘性が高く、非ニュートン流体として挙動するものが多い。この場合、上記内回り現象により、屈曲部２１の内側を通過した樹脂は、屈曲部２１の外側を通過した樹脂よりも流速が大きくなる。一方、第２直線部２２では、第２直線部２２の中心軸を基準として、第１直線部２０の配置側が屈曲部２１の内側に接続し、その反対側が屈曲部２１の外側に接続している。
【００５２】
従って、屈曲部２１を通過して第２直線部２２に供給された樹脂は、図４の（ｂ）に示すように、第２直線部２２の中心軸を基準として、第１直線部２０の配置側（すなわち第３直線部２４の配置側）の方が、その反対側（すなわち第４直線部２５の配置側）よりも流速が大きくなる。すなわち、上記樹脂の流速は、第１直線部２０の中心軸と平行な方向に偏っていると言える。
【００５３】
従って、本実施形態の樹脂回転部３０を省略した場合、上記内回り現象により、第３直線部２４に供給される樹脂の方が、第４直線部２５に供給される樹脂よりも流量が多くなる。これにより、第３直線部２４から第１キャビティ部１１に供給される樹脂は、第４直線部２５から第２キャビティ部１２に供給される樹脂よりも流量が多くなり、その結果、第１キャビティ部１１の成形品は、第２キャビティ部１２の成形品よりも寸法が大きくなってしまう。
【００５４】
これに対し、本実施形態では、樹脂回転部３０は、上記樹脂の流速の偏り方向ｄが、第３直線部２４および第４直線部の対称軸の方向となるように、供給された樹脂を回転させている。具体的には、本実施形態では、樹脂回転部３０が、供給された樹脂を進行方向に対し右回りに９０°回転させている。
【００５５】
従って、樹脂回転部３０を通過した樹脂は、図４の（ｃ）に示すように、偏り方向ｄが第３直線部２４および第４直線部２５の中心軸と垂直な方向となり、図面に対し下側（同図の（ｂ）が記載されている側）の方が、その反対側よりも流速が大きくなる。
【００５６】
これにより、流速の大きい樹脂および流速の小さい樹脂の何れもが、分岐部２３にて分岐されて、第３直線部２４および第４直線部２５に供給されるので、第３直線部２４および第４直線部２５に供給される樹脂の流量は等しくなる。その結果、第３直線部２４および第４直線部２５から第１キャビティ部１１および第２キャビティ部１２にそれぞれ供給される樹脂の流量が等しくなるので、第１キャビティ部１１の成形品と、第２キャビティ部１２の成形品との寸法のバラツキを抑えることができ、成形品の品質を改善することができる。
【００５７】
なお、本実施形態では、樹脂回転部３０が、供給された樹脂を進行方向に対し右回りに９０°回転させているが、左回りに９０°回転させてもよい。なぜなら、この場合、樹脂回転部３０を通過した樹脂は、図４の（ｃ）において、図面に対し下側（同図の（ｂ）が記載されている側）の方が、その反対側よりも流速が小さくなるのみであるので、第３直線部２４および第４直線部２５に供給される樹脂の流量は等しくなるからである。
【００５８】
また、本実施形態では、説明の簡略化のために、図２に示すような構造としているが、通常は、屈曲部２１を分岐部に変更し、第２直線部２２、分岐部２３、第３直線部２４、第４直線部２５、第１キャビティ部１１、および第２キャビティ部１２と同様の構成が、第１直線部２０に対し線対称に設けられた構造となっている。この場合でも、上記線対象に設けられた構成において、上述の内回り現象が発生するので、樹脂回転部３０と同様の構成を設けることが望ましい。
【００５９】
次に、案内部３１の形状の決定方法について説明する。図６は、案内部３１の形状を決定する要素を示している。同図の上段は、第２直線部２２の内面を中心軸に平行に切断して展開した図であり、同図の下段は、上記内面を樹脂の進行方向に見た図である。なお、同図の上段および下段の対応箇所は一点鎖線で結ばれている。図示のように、案内部３１は、回転角α、傾斜角β、および突出幅ｐによって決定される。
【００６０】
上述のように、回転角αは、図４の（ｂ）および（ｃ）に示すように、理論的な予測が可能である。また、案内部３１において、回転角αが樹脂の回転量に最も影響が大きく、回転角αの値で樹脂がどの程度回転するかがほぼ決定する。
【００６１】
しかしながら、実際には、回転後の樹脂の慣性力および剪断熱、樹脂の粘度などにより、樹脂の実際の回転量が理論的な予測値からずれることがある。この場合、第１キャビティ部１１および第２キャビティ部１２の成形品の寸法がばらつく虞がある。
【００６２】
そこで、コールドランナー１３の幾何学的形状から成形品の評価指標を算出する公知のシミュレーション技術を利用して、回転角α、傾斜角β、および突出幅ｐを種々に変化させて、第１キャビティ部１１および第２キャビティ部１２の成形品の上記評価指標をそれぞれ算出する。これにより、上記評価指標のバラツキが、最小、或いは、所定の許容範囲内となる回転角α、傾斜角β、および突出幅ｐを決定することができる。なお、上記評価指標としては、上記成形品の寸法、樹脂量、密度などの標準偏差、平均差などが挙げられる。
【００６３】
〔実施の形態２〕
次に、本発明の別の実施形態について、図７を参照して説明する。図７は、本実施形態の射出成形用金型１０における第２直線部２２の要部を示すものであり、樹脂回転部３０の概要を示している。本実施形態の樹脂回転部３０は、図３に示す樹脂回転部３０に比べて、形状が異なり、その他の構成は同様である。なお、上記実施形態で説明した構成と同様の機能を有する構成には同一の符号を付して、その説明を省略する。
【００６４】
図７に示すように、本実施形態の樹脂回転部３０は、図３に示す案内部３１に、案内部３１から上流側の内面に向けて傾斜した傾斜部３２を追加した構成である。すなわち、傾斜部３２は、樹脂の進行方向Ｆに沿って狭くなるテーパ部となる。これにより、本実施形態の樹脂回転部３０は、図３に示す樹脂回転部３０に比べて、傾斜部３２により樹脂が緩やかに衝突するので、樹脂の流れが乱れて滞ることを抑制できる。
【００６５】
〔実施の形態３〕
次に、本発明のさらに別の実施形態について、図８〜図１０を参照して説明する。図８は、本実施形態の射出成形用金型におけるホットランナー、コールドランナー、およびキャビティ部の構造を模式的に示している。本実施形態の射出成形用金型１０は、図２に示す射出成形用金型１０に比べて、コールドランナー１３の幾何学的形状と、樹脂回転部３０の位置および形状とが異なり、その他の構成は同様である。なお、上記実施形態で説明した構成と同様の機能を有する構成には同一の符号を付して、その説明を省略する。
【００６６】
コールドランナー１３は、上流から順に、分岐部５１と、第１直線部５２および第２直線部５３と、第１屈曲部５４および第２屈曲部５５と、第１テーパ部５６および第２テーパ部５７とを備える構成である。図８の例では、第１テーパ部５６および第２テーパ部５７の中心軸は、同じ方向であり、第１直線部５２および第２直線部５３の中心軸に垂直な方向である。また、第１直線部５２および第２直線部５３における樹脂の進行方向の向きは、互いに反対である。
【００６７】
分岐部５１は、分岐した通路を有し、ホットランナー１４の通路と第１直線部５２および第２直線部５３の通路とを連結する。また、屈曲部５４は、屈曲した通路を有し、第１直線部５２の通路と第１テーパ部５６の通路とを連結する。また、屈曲部５５は、屈曲した通路を有し、第２直線部５３の通路と第２テーパ部５７の通路とを連結する。第１テーパ部５６および第２テーパ部５７の通路の下流部は、それぞれキャビティ部１１・１２に連結する。
【００６８】
上記の構成により、ホットランナー１４からの樹脂が、分岐部５１にて垂直方向であって互いに反対向きに分岐されて、それぞれ第１直線部５２および第２直線部５３に供給される。第１直線部５２に供給された樹脂が、屈曲部５４にて垂直方向に屈曲されて第１テーパ部５６に供給される一方、第２直線部５３に供給された樹脂が、屈曲部５５にて垂直方向に屈曲されて第２テーパ部５７に供給される。そして、第１テーパ部５６および第２テーパ部５７に供給された樹脂が、キャビティ部１１・１２にそれぞれ供給される。
【００６９】
上述のように、第１屈曲部５４を通過して第１テーパ部５６に供給された樹脂は、第１直線部５２の中心軸と平行な方向に偏っている。このような樹脂が第１キャビティ部１１に供給されると、第１キャビティ部１１にて形成される成形品は、第１直線部５２の中心軸と平行な方向に偏りが生じることになる。同様に、第２キャビティ部１２にて形成される成形品は、第２直線部５３の中心軸と平行な方向に偏りが生じることになる。
【００７０】
具体的には、第１テーパ部５６に供給された樹脂は、上述の内回り現象により、屈曲部５４の内側に近い側の方が、屈曲部５４の外側に近い側よりも流速が大きくなる。換言すれば、第１テーパ部５６の中心軸を基準として、第１直線部５２の配置側の方が、その反対側よりも流速が大きくなる。これにより、第１テーパ部５６から第１キャビティ部１１に供給される樹脂は、図８の矢印Ｄ1’にて示す方向に流量が偏り、図８の右側の方が左側よりも流量が多くなる。
【００７１】
その結果、第１キャビティ部１１の成形品は、図８の右側の方が左側よりも寸法が大きくなる。同様に、第２キャビティ部１２の成形品は、上述の内回り現象により、図８の矢印Ｄ2’にて示す方向に流量が偏り、図８の左側の方が右側よりも寸法が大きくなる。すなわち、成形品における樹脂の多寡の偏りにバラツキが生じることになる。
【００７２】
そこで、本実施形態の第１テーパ部５６および第２テーパ部５７には、供給された樹脂を回転させる樹脂回転部６０・６１がそれぞれ設けられている。なお、第１テーパ部５６および樹脂回転部６０の構造と、第２テーパ部５７および樹脂回転部６１の構造とは鏡像（面対称）の関係にあるので、以下では樹脂回転部６１について説明する。図９は、射出成形用金型１０における第２直線部５３、屈曲部５５、および第２テーパ部５７の要部を示すと共に、樹脂回転部６１の概要を示している。
【００７３】
図９に示すように、第２テーパ部５７は、図３に示す第２通路部２２に比べて、キャビティ部１２の成形品にゲート径の跡が残らないようにするために、キャビティ部１２に向かうにつれて狭くなるテーパ状となっている。樹脂回転部６１は、第２テーパ部５７の内面の適所に、案内部６２および延在部６３を設けた構成である。案内部６２は、図３に示す案内部３１と同様の形状である。また、延在部６３は、案内部６２から下流側に、第２テーパ部５７の中心軸と平行な方向、またはテーパ状に延在して、第２テーパ部５７に到達する形状である。
【００７４】
樹脂回転部６１を設けることによる効果を、図１０を参照して説明する。図１０は、第２直線部５３から第２キャビティ部１２までの樹脂の流れを模式的に示している。なお、第２テーパ部５７の樹脂が第２キャビティ部１２に供給される部分５７ａがゲートである。また、図１０の第２キャビティ部１２は、同図の左側１２ａと右側１２ｂとが、それぞれ、図１の第３直線部２４および第４直線部２５に対応する。
【００７５】
従って、第２キャビティ部１２では、流速の大きい樹脂および流速の小さい樹脂の何れもが、図１０の左側１２ａおよび右側１２ｂにそれぞれ拡散する。これにより、図１０の左側１２ａおよび右側１２ｂにそれぞれ供給される樹脂の流量は等しくなる。また、図１０の裏側には流速の大きい樹脂が拡散し、図１０の表側には流速の小さい樹脂が拡散する。これにより、図１０の裏側の方が表側よりも流量が多くなり、その結果、第２キャビティ部１２の成形品は、図１０における裏側の方が表側よりも寸法が大きくなる。すなわち、図８の矢印Ｄ2にて示す方向に流量が偏って、成形品の寸法が偏ることになる。
【００７６】
一方、上述のように、第１テーパ部５６および樹脂回転部６０の構造と、第２テーパ部５７および樹脂回転部６１の構造とは鏡像（面対称）の関係にあるので、第１キャビティ部１１では、図８の矢印Ｄ1にて示す方向に流量が偏って、成形品の寸法が偏ることになる。従って、第１キャビティ部１１の成形品は、第２キャビティ部１２の成形品と寸法の偏りが同じになる。その結果、上記各成形品のバラツキを改善することができ、成形品の品質を改善することができる。
【００７７】
なお、本実施形態の射出成形用金型１０は、３つの金型を、図１０に示す二点差線にて接合して形成されるものである。そして、射出成形後に上記３つの金型を分離して、第２直線部５３、第２屈曲部５５、および第２テーパ部５７にて硬化した樹脂が金型のパーティング面７０（図９参照）から除去される。
【００７８】
樹脂回転部６１では、延在部６３の存在により、下流に向かうにつれて、寸法が同じまたは狭くなっている。また、樹脂回転部６１以外の第２テーパ部５７では、下流に向かうにつれて寸法が狭くなっている。従って、第２テーパ部５７にて硬化した樹脂をパーティング面７０から除去する場合、上記硬化した樹脂が樹脂回転部６１にて引っ掛かることがない。
【００７９】
なお、図９および図１０では、案内部６２および延在部６３は、１組のみ示されているが、２組でもよいし、３組以上でもよい。案内部６２および延在部６３の組数および配置は、樹脂の流れ易さや、射出成形後の樹脂の除去容易性などによって適宜決定される。
【００８０】
〔実施の形態４〕
次に、本発明のさらに別の実施形態について、図１１および図１２を参照して説明する。本実施形態の射出成形用金型１０は、図８に示す射出成形用金型１０に比べて、第１テーパ部および第２テーパ部の形状と、樹脂回転部の形状が異なり、その他の構成は同様である。なお、上記実施形態で説明した構成と同様の機能を有する構成には同一の符号を付して、その説明を省略する。また、第１テーパ部および第２テーパ部の各構成は同様であるので、以下では第２テーパ部について説明する。
【００８１】
図１１は、本実施形態の射出成形用金型１０における第２直線部５３、屈曲部５５、および第２テーパ部５８の要部を示すと共に、樹脂回転部６４の概要を示している。また、図１２は、第２テーパ部５８をパーティング面７０側から見た図である。本実施形態の第２テーパ部５８は、上流部７１および下流部７２を備える構成である。
【００８２】
上流部７１は、屈曲部５５に接続する通路であり、径が変化しない筒状、または、下流に向かうにつれて狭くなるテーパ状に形成されている。また、下流部７２は、上流部７１と第２キャビティ部１２とに接続する通路であり、第２キャビティ部１２に向かうにつれて狭くなるテーパ状に形成されている。下流部７２の上流端は、上流部７１よりも径が狭く形成されている。このため、上流部７１の下流端には、段部７３が形成されている。
【００８３】
樹脂回転部６４は、第２テーパ部５８の内面の適所に、案内部６５を設けた構成である。案内部６５は、段部７３からの突出部を、上流部７１および下流部７２の軸を中心として渦巻状に延在した形状である。上流部７１を進む樹脂は、段部７３における案内部６５の規制により、進行方向Ｆに対し右回りまたは左回りに回転し、その後、下流部７２を進むことになる。
【００８４】
上記の構成によると、上流部７１では下流に向かうにつれて寸法が同じまたは狭くなっており、下流部７２では下流に向かうにつれて寸法が狭くなっている。また、段部７３は、外側の径（寸法）が上流部７１の径に等しく、内側の径が下流部７２の上流端の径に等しい。従って、第２テーパ部５８にて硬化した樹脂をパーティング面７０から除去する場合、上記硬化した樹脂が上流部７１、段部７３、および下流部７２にて引っ掛かることがない。
【００８５】
なお、段部７３は、第２テーパ部５８の中心軸に対し、垂直な面として形成されてもよいし、傾斜した面として形成されてもよい。上記傾斜した面として形成される場合、樹脂回転部６４は、図９に示すような延在部６３を備えることが望ましい。
【００８６】
〔実施の形態５〕
次に、本発明の他の実施形態について、図１３〜図１５を参照して説明する。図１３は、本実施形態の射出成形用金型におけるコールドランナーおよびキャビティ部の構造を模式的に示している。本実施形態の射出成形用金型１０は、図２に示す射出成形用金型１０に比べて、コールドランナー１３の幾何学的形状と、樹脂回転部の数および位置とが異なり、その他の構成は同様である。なお、上記実施形態で説明した構成と同様の機能を有する構成には同一の符号を付して、その説明を省略する。
【００８７】
本実施形態のコールドランナー１３は、図２に示すコールドランナー１３における第３直線部２４および第１キャビティ部１１を、第２直線部２２を軸とし、第２直線部２２から分岐部２３への向きに対し右回りに９０°回転させた構成となっている。
【００８８】
また、本実施形態の第２直線部２２、第３直線部２４、および第４直線部２５には、供給された樹脂を回転させる樹脂回転部８０〜８２がそれぞれ設けられている。樹脂回転部８０は、第３直線部２４および第４直線部２５に供給される樹脂の量を揃えるために設けられている。また、樹脂回転部８１・８２は、それぞれ、第１キャビティ部１１および第２キャビティ部１２にて樹脂が均等に広がるようにするために設けられている。
【００８９】
なお、樹脂回転部８０〜８２の形状は、上記実施形態の樹脂回転部３０・６０・６１・６４のうち、任意のものを選択すればよいので、その説明を省略する。以下では、樹脂回転部８０〜８２が、樹脂をそれぞれどの程度回転させればよいかについて説明する。
【００９０】
まず、樹脂回転部８０における樹脂の回転量について説明する。図１４の（ａ）・（ｂ）は、図４の（ｂ）・（ｃ）に対応するものである。すなわち、図１４の（ａ）・（ｂ）は、第２直線部２２において樹脂回転部８０を通過する前後での樹脂の偏りをそれぞれ示している。
【００９１】
上述の内回り現象により、屈曲部２１の内側を通過した樹脂は、屈曲部２１の外側を通過した樹脂よりも流速が大きくなるので、屈曲部２１を通過して第２直線部２２に供給された樹脂は、屈曲部２１の内側に近い側の方が、屈曲部２１の外側に近い側よりも流速が大きくなる。換言すれば、図１４の（ａ）に示すように、第２直線部２２の中心軸を基準として、第１直線部２０の配置側の方が、その反対側（すなわち第４直線部２５の配置側）よりも流速が大きくなる。すなわち、上記樹脂の流速は、第１直線部２０の中心軸と平行な方向に偏っている。
【００９２】
従って、本実施形態の樹脂回転部８０を省略した場合、第３直線部２４に供給される樹脂の方が、第４直線部２５に供給される樹脂よりも流量が多くなる。これにより、第３直線部２４から第１キャビティ部１１に供給される樹脂は、第４直線部２５から第２キャビティ部１２に供給される樹脂よりも流量が多くなり、その結果、第１キャビティ部１１の成形品は、第２キャビティ部１２の成形品よりも寸法が大きくなってしまう。
【００９３】
これに対し、本実施形態では、樹脂回転部８０は、上記樹脂の流速の偏り方向ｄが、第３直線部２４および第４直線部の対称軸の方向となるように、供給された樹脂を回転させている。具体的には、本実施形態では、樹脂回転部３０が、供給された樹脂を進行方向に対し左回りに４５°回転させている。
【００９４】
従って、樹脂回転部８０を通過した樹脂は、図１４の（ｂ）に示すように、偏り方向ｄが第３直線部２４および第４直線部２５の対称軸の方向となり、流速の大きい樹脂および流速の小さい樹脂の何れもが、分岐部２３にて分岐されて、第３直線部２４および第４直線部２５に供給されることになる。これにより、第３直線部２４および第４直線部２５に供給される樹脂の流量は等しくなる。その結果、第３直線部２４および第４直線部２５から第１キャビティ部１１および第２キャビティ部１２にそれぞれ供給される樹脂の流量が等しくなるので、第１キャビティ部１１の成形品と、第２キャビティ部１２の成形品との寸法のバラツキを抑えることができる。
【００９５】
次に、樹脂回転部８１・８２における樹脂の回転量について説明する。図１５の（ａ）は、第３直線部２４において樹脂回転部８１を通過する前での樹脂の流速の偏りを示している。また、図１５の（ｂ）は、第４直線部２５において樹脂回転部８２を通過する前での樹脂の流速の偏りを示している。そして、図１５の（ｃ）は、第３直線部２４および第４直線部２５において、樹脂回転部８１・８２を通過した後での樹脂の流速の偏りを示している。
【００９６】
分岐部２３では、第２直線部２２から供給された樹脂が分岐されると共に、屈曲されて、第３直線部２４および第４直線部２５にそれぞれ供給されている。従って、分岐部２３では樹脂が屈曲するので、第３直線部２４および第４直線部２５では、分岐部２３による樹脂の流速の偏りが生じる。
【００９７】
また、図１４の（ｂ）に示すように、第２直線部２２から分岐部２３に供給される樹脂は偏っているので、分岐部２３にて分岐されて第３直線部２４および第４直線部２５にそれぞれ供給される樹脂も偏ることになる。すなわち、第３直線部２４および第４直線部２５に供給される樹脂には、分岐部２３より前の構成による偏りｄ1と、分岐部２３による偏りｄ2とが生じることになる。
【００９８】
具体的には、第３直線部２４では、図１４の（ｂ）に示す偏りｄが、分岐部２３にて屈曲されて、図１５の（ａ）に示す偏りｄ1となる。すなわち、偏りｄ1の方向は、第２直線部２２の中心軸ｌから右回りに４５°回転した方向となる。一方、分岐部２３による偏りｄ2は、図４の（ｂ）の場合と同様に、図１５の（ａ）に示す偏りｄ2となる。すなわち、偏りｄ2の方向は、第２直線部２２の中心軸ｌと平行な方向となる。
【００９９】
従って、偏りｄ1と偏りｄ2との対称軸は、第２直線部２２の中心軸ｌから左回りに６７．５°回転した方向となる。すなわち、第４直線部２５の側（図の右側）の方よりもその反対側の方が、樹脂の流速が大きくなる。従って、本実施形態の樹脂回転部８１を省略した場合、第１キャビティ部１１には、図１３の矢印Ｄ1’にて示す方向に流量が偏って、第４直線部２５の側の方よりもその反対側の方が、樹脂の流量が大きくなり、その結果、成形品の寸法が大きくなる。
【０１００】
一方、第４直線部２５では、図１４の（ｂ）に示す偏りｄが、分岐部２３にて屈曲されて、図１５の（ｂ）に示す偏りｄ1となる。すなわち、偏りｄ1の方向は、第２直線部２２の中心軸ｌから左回りに４５°回転した方向となる。一方、分岐部２３による偏りｄ2は、図４の（ｂ）の場合と同様に、図１５の（ａ）に示す偏りｄ2となる。すなわち、偏りｄ2の方向は、第２直線部２２の中心軸ｌと平行な方向となり、第３直線部２４の偏りｄ2と同様である。
【０１０１】
従って、偏りｄ1と偏りｄ2との対称軸は、第２直線部２２の中心軸ｌから右回りに６７．５°回転した方向となる。すなわち、第３直線部２４の側（図の左側）の方よりもその反対側の方が、樹脂の流速が大きくなる。従って、本実施形態の樹脂回転部８２を省略した場合、第２キャビティ部１２には、図１３の矢印Ｄ2’にて示す方向に流量が偏って、第３直線部２４の側の方よりもその反対側の方が、樹脂の流量が大きくなり、その結果、成形品の寸法が大きくなる。
【０１０２】
これに対し、本実施形態では、樹脂回転部８１は、偏りｄ1と偏りｄ2との対称軸を、第１キャビティ部１１の主たる広がり面の法線方向（第２直線部２２の中心軸ｌに平行）に回転させている。具体的には、本実施形態では、樹脂回転部８１が、供給された樹脂を進行方向に対し右回りに６７．５°回転させている。これにより、樹脂回転部８１を通過した樹脂の偏りは、図１５の（ｃ）に示すようになる。従って、第１キャビティ部１１では、図１３の矢印Ｄ1にて示す方向に、流量が偏って成形品の寸法が偏ることになる。
【０１０３】
一方、樹脂回転部８２は、偏りｄ1と偏りｄ2との対称軸を、第２キャビティ部１２の主たる広がり面の法線方向（第２直線部２２の中心軸ｌに平行）に回転させている。具体的には、本実施形態では、樹脂回転部８２が、供給された樹脂を進行方向に対し左回りに６７．５°回転させている。これにより、樹脂回転部８２を通過した樹脂の偏りは、図１５の（ｃ）に示すようになり、樹脂回転部８１を通過した樹脂の偏りと同様となる。従って、第２キャビティ部１２では、図１３の矢印Ｄ2にて示す方向に、流量が偏って成形品の寸法が偏ることになる。
【０１０４】
従って、第１キャビティ部１１の成形品は、第２キャビティ部１２の成形品と寸法の偏りが同じになる。その結果、上記各成形品のバラツキを改善することができ、成形品の品質を改善することができる。
【０１０５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１０６】
例えば、上記実施形態では、成形材料として樹脂を利用しているが、金属など樹脂以外の物質と樹脂との混合物を成形材料として利用することもできるし、射出成形技術に適用可能な任意の物質を利用することができる。
【０１０７】
また、上記実施形態では、樹脂回転部は、通路の内面に凸設した案内部であるが、通路の内面に開設した溝部でもよい。
【０１０８】
また、上記実施形態では、樹脂は、粘性が高く、非ニュートン流体として挙動するとしている。しかしながら、樹脂の種類、温度、および圧力によっては、粘性が低く、ニュートン流体として挙動するものも存在する。ニュートン流体の場合、図５の（ｂ）に示すように外回り現象となるので、図５の（ａ）に示すように内回り現象となる非ニュートン流体に比べて、上記偏り方向の向きが反対となる。従って、樹脂がニュートン流体として挙動する場合には、上記実施形態における上記偏り方向の向きを反対向きにすればよく、本願発明を適用することができる。
【産業上の利用可能性】
【０１０９】
本発明に係る射出成形用金型は、コールドランナーが備える材料回転部が、樹脂等の成形材料を進行方向に対し９０°以下の所定角度だけ回転させることにより、従来よりも簡単な構造でありながら、成形品の品質を改善できるので、コールドランナーを利用する任意の射出成形機に適用することができる。
【符号の説明】
【０１１０】
１０  射出成形用金型
１０ａ  金型
１１  第１キャビティ部
１２  第２キャビティ部
１３  コールドランナー
２０  第１直線部
２１  屈曲部
２２  第２直線部
２２  第２通路部
２３  分岐部
２４  第３直線部
２５  第４直線部
３０・６０・６１・６４・８０〜８２  樹脂回転部
３１・６２・６５  案内部
３２  傾斜部
４０  パーティング面
５１  分岐部
５２  第１直線部
５３  第２直線部
５４  屈曲部
５４  第１屈曲部
５５  屈曲部
５５  第２屈曲部
５６  第１テーパ部
５７  第２テーパ部
５８  第２テーパ部
６３  延在部
７０  パーティング面
７１  上流部
７２  下流部
７３  段部
【図１】
2010208050.tif 000003
【図２】
2010208050.tif 000004
【図３】
2010208050.tif 000005
【図４】
2010208050.tif 000006
【図５】
2010208050.tif 000007
【図６】
2010208050.tif 000008
【図７】
2010208050.tif 000009
【図８】
2010208050.tif 000010
【図９】
2010208050.tif 000011
【図１０】
2010208050.tif 000012
【図１１】
2010208050.tif 000013
【図１２】
2010208050.tif 000014
【図１３】
2010208050.tif 000015
【図１４】
2010208050.tif 000016
【図１５】
2010208050.tif 000017